(57)【特許請求の範囲】
【請求項１】
半導体チップの少なくとも１側辺に近接して設けられた複数の接続片と、前記接続片を一体化する直線状の連結体と、前記半導体チップと前記接続片を接続する手段と、前記接続片、連結体および手段を封止する樹脂封止体とを備えた半導体装置であり、
前記接続片は、前記連結体の側辺を中心に交互に突出して形成され、前記半導体装置裏面から前記連結体がダイシングにより除去されて個々に分離され、
直線状の前記連結体の除去領域の内壁は、前記接続片の分離された面と実質同一面となるように形成されていることを特徴とする半導体装置。
【請求項２】
前記連結体は、該連結体よりも広い幅で取り除かれていることを特徴とする請求項１に記載の半導体装置。
【請求項３】
前記除去領域に樹脂が埋め込まれていることを特徴とする請求項１または請求項２に記載の半導体装置。
【請求項４】
前記接続片は、前記連結体と一致しない３側辺のいずれかに樹脂食いつき手段が設けられていることを特徴とする請求項１乃至請求項３のいずれかに記載の半導体装置。
【請求項５】
前記半導体チップは、アイランドに固着され、
前記接続片は、前記半導体チップの４側辺に近接して設けられ、
前記アイランドと前記連結体は、吊りリードで一体化され、
前記吊りリードは、前記アイランドの４コーナーから延在されている請求項1乃至請求項４のいずれかに記載の半導体装置。
【請求項６】
前記アイランドは省略され、
前記吊りリードはＸの形状で、このＸ形状の吊りリードの上に前記半導体チップが固着される請求項５に記載の半導体装置。
【請求項７】
前記半導体チップは、フェイスアップで実装され、前記手段は金属細線から成る請求項５に記載の半導体装置。
【請求項８】
前記アイランド、前記連結体および前記接続片は、所望の厚みのＣｕから成り、前記半導体チップは、フェイスダウンで実装され、前記手段はロウ材から成る請求項６に記載の半導体装置。
【発明の詳細な説明】
【０００１】
【発明の属する技術分野】
本発明は、半導体装置に関し、リードフレームの如き、Ｃｕフレームを用いたＣＳＰ型の半導体装置に関するものである。
【０００２】
【従来の技術】
半導体装置は、周知事項ではあるが、ウェハの状態でマトリックス状にＩＣが作り込まれ、このＩＣを囲み格子状にダイシングライン部が設けられ、このダイシングライン部に沿って個々にダイシングされ、個々の半導体装置（半導体チップ）に分離形成される。そしてリードフレームに実装し、ＩＣとリードとをワイヤボンディングしパッケージされる。
【０００３】
しかし携帯電話やディジタルカメラ等の軽薄短小化を受けて、半導体装置も益々小型化が要求され、最近は限りなくチップサイズに近づく技術としてＣＳＰ、ウェハスケールＣＳＰが開発されている。
【０００４】
半導体チップを基板に実装し、ワイヤボンディングを採用してチップサイズを小さくするＣＳＰとしては、例えば、特開平１０―９２９７９号公報や特開昭５８−２０１３４７号公報がある。
【０００５】
これらの技術は、接続として信頼性の高い金属細線接続を採用しつつ、金属細線から先のリードフレームの延在長を限りなく少なくするため、セラミック基板を採用し、チップサイズを小さくしたものである。
【０００６】
図７と図８は、その概要を説明したものである。図７に於いて、セラミック基板１には、半導体チップ２が固着され、半導体チップ２のボンディングパッドとセラミック基板１上のパッド電極３は、金属細線を介して接続される。そしてセラミック基板１は、必要によりスルーホールや多層配線が施され、ロウ材を介して実装基板と半田付けされるパッド４がセラミック基板１裏面に設けられている。半導体チップ２のボンディングパッドは、金属細線、パッド電極３、スルーホールまたは多層配線を介して裏面のパッド４と電気的に接続される。
【０００７】
そして図８の如く、樹脂封止体５が形成され、矢印で示した部分でダイシングされる。このダイシングは、セラミック基板の裏面側または表側どちらでも良い。またセラミック基板には割り溝が設けられ、セラミック基板の手前までダイシングし、セラミック基板は割り溝を介してブレークされても良い。
【０００８】
【発明が解決しようとする課題】
前述した構造は、リードフレームを採用したパッケージと異なり、リードがパッケージ内に取り込まれず、パッド電極が極めて小さいため、その分小さくすることができる。
【０００９】
しかしながらセラミック基板１は、スルーホールや多層配線を施したり、パッド電極３、パッド４にＡｕメッキを必要とするため、コストが上昇する問題があった。
【００１０】
またセラミック基板１の電極は、一般には印刷であり、実装基板との接続は、印刷電極の厚みが要因で、接続強度がそれほど高くできない問題もあった。
【００１１】
本発明は、前記問題点を解決するものである。
【００１２】
【課題を解決するための手段】
本発明は上記の課題に鑑みてなされ、第１に、半導体装置裏面から連結体を取り除き、接続片を個々に分離する事で解決するものである。
【００１３】
第２に、半導体チップを、アイランドに固着し、前記アイランドと前記連結体を、吊りリードで一体化する事で解決するものである。
【００１４】
第３に、接続片を、半導体チップの４側辺に近接して設け、吊りリードをアイランドの４コーナーから延在する事で解決するものである。
【００１５】
第４に、アイランドを、半導体チップより小さくする事で解決するものである。
【００１６】
第５に、アイランドを省略し、吊りリードはＸの形状で、このＸ形状の吊りリードの上に前記半導体チップを固着する事で解決するものである。
【００１７】
第６に、接続片と樹脂封止体を、同一面を成すことで解決するものである。
【００１８】
第７に、半導体チップを、フェイスアップで実装し、手段を金属細線から成すことで解決するものである。
【００１９】
第８に、アイランド、前記連結体および前記接続片を、所望の厚みのＣｕから成し、前記半導体チップを、フェイスダウンで実装し、手段をロウ材から成すことで解決するものである。
【００２０】
第９に、連結体を、ダイシングにより取り除くことで解決するものである。
【００２１】
例えば、Ｃｕより成るフレームは、従来からリードフレーム技術として確立されており、また封止も従来のトランスファーモールド技術で実現できる。従って封止した後、たんに連結体をダイシングやエッチング等で取り除けば実現でき、より安価で、チップサイズに近づいた半導体装置を実現できる。
【００２２】
また連結体を取り除くことで、この取り除いた領域の接続片は、厚み方向に側壁が露出され、この露出した側壁がロウ材に濡れることで接着強度を向上させることができる。
【００２３】
また、リードフレームのリードを接続片に変えることで実現で、且つ金属細線も従来のワイヤーボンディングで実現できるため、信頼性も高く、製造も容易である。
【００２４】
またリードフレームを採用して、チップサイズの半導体装置が実現できる。
【００２５】
更には、連結体をダイシングにより取り除くことで、接続片の側辺には、凹凸ができ、ロウ材との接着性が向上する。
【００２６】
【発明の実施の形態】
次に、本発明の第１の実施形態について図１〜図４を参照して説明する。
図１の構成部品は、あたかも一般的なリードフレームであり、リードフレームの厚みを有した金属材料（例えばＣｕを主材料とする）から成るフレームである。これは、箔でも良い。この場合、取り扱いの面を考慮して、フレキシブルシートにサンドウィッチしても良い。これについては後述する。
【００２７】
まずフレーム１０は、半導体チップが固着されるアイランド１１がその中央に設けられ、各コーナーからは、吊りリード１２を介して連結体Ｒがアイランド１１を囲むように形成されている。この連結体Ｒには、アイランド１１に向かう第１の接続片１３が実質的に等間隔で一体配置されている。また連結体Ｒから外に向かい第２の接続片１４が設けられている。
【００２８】
この接続片は、通常のリードフレームのリードに対応し、従来のリードフレームでは、リードが樹脂封止体から露出するものである。しかしこの接続片１３、１４は、図３の如く、樹脂封止体１７と面いちで切断されるか、または０．１〜０．２ｍｍ程度突出される。この突出により、実装時、接続片１３、１４の側面に半田フィレットを作るためである。切断の方法は、ダイシング、またはＴ／Ｆ（トリム・アンド・フォーミング）等が考えられる。
【００２９】
またこの接続片の数は、ＩＣのボンディングパッドパッド数により決まる。つまりパッド数が少なければ、第１の接続片１３…を採用すれば良く、更には、この接続片は、連結体の１側辺〜４側辺を任意に選択して、この連結体Ｒと一体で設ければよい。また数が多い場合は、更に第２の接続片１４…を採用すればよい。更にパッド数が多ければ、図１３のように外側にリング状に第３の接続片２２を設ければ良い。接続片のサイズにもよるが、連結体Ｒの外側に更に吊りリード１２を介して別の連結体を形成し、アイランドに向いた接続片、外側に向いた接続片を設ければ、接続片の数を増加できる。
【００３０】
つまり接続片は、アイランド１１を囲むように第１の接続片郡１３…、第２の接続片郡１４…、…が形成された形となる。
【００３１】
続いて、図２に示すように、アイランド１１には固着材を介して半導体チップ１５が固着される。フレーム１０は、例えばＣｕを主材料とする金属でなるため、固着材としては半田等のロウ材で成るが、銀ペースト等のペースト材、接着剤でも良い。そして半導体チップ１５の表面に露出されたボンディングパッドから接続片１３、１４まで金属細線１６を介して接続される。この金属細線１６は、Ａｕ、ＣｕまたはＡｌ等からなり、通常はワイヤーボンディングで実現される。図２で示したように、ＩＣのボンディングパッド数が多いため、第１の接続片１３…と第２の接続片１４…は、連結体Ｒの側辺を中心に交互に突出して形成されている。別の表現をすれば、隣り合う２つの第１の接続片１３、１３の間に第２の接続片１４が入り、連結体Ｒを中心に所定ピッチで左右に交互に飛び出している。この構造を採用することにより金属細線のショート防止を実現している。
【００３２】
続いて、図３の如く、樹脂封止体１７が設けられる。この樹脂封止体１７は、一例としてトランスファーモールド、インジェクションモールド等で実現できる。但し、接続片１３、１４の裏面は、樹脂封止体１７と同一面を成すか、あるいは樹脂封止体１７よりも若干突出して設けられる。またこの際、アイランドの絶縁を考慮する場合は、図３右図で見れば、アイランド１１が接続片に対して若干上に押し上げられ、完全に埋め込まれていても良い。
【００３３】
更に、図４で第１の接続片１３…、第２の接続片１４…を個々に分離する。
図４では、半導体装置１８の裏面を示したものであり、ここでは第１の接続片１３…、第２の接続片１４…、吊りリード１２およびアイランド１１の裏面が露出している状態を示し、ハッチングで示す所が除去領域と成っている。
【００３４】
ここでは連結体Ｒを取り除くことで接続片１３…、１４…を個々に分離している。しかし本フレームは、フレーム単位をマトリックス状に形成しているので、予定のチップパッケージ側辺で接続片が切断される。
【００３５】
分離の簡単な方法として、ここではハッチングで示す方向に、ハッチングで示すブレード幅のダイシングを施している。
【００３６】
このダイシングでは、フレーム１０の厚みより若干深い溝を形成すれば簡単に分離でき、また少しでも連結体Ｒが残るとショートの原因となるため、連結体Ｒの幅よりも広い幅で除かれている。また他の除去方法として、エッチングが考えられる。第２の接続片１４は、樹脂封止体端まで、もしくは０．１〜０．２ｍｍ出した位置で切断する。切断方法は、従来のＴ／Ｆまたは連結体Ｒを切断するのと同じダイシングで行う。
【００３７】
生産性を考慮するなら、図１１、図１４および図１５のように、マトリックス状に半導体チップ１５が実装できるフレーム１０を用意し、まとめてダイシングすればよい。この方法は、後述する。
【００３８】
以上、本発明は、安価なフレーム１０を採用し、最後にダイシング等で連結体Ｒを取り除けば、樹脂封止体１７の裏面には、チップの側辺に接続片から成る電極が形成されることになる。この接続片は、従来のリードフレームを採用したパッケージと比較して、リードに相当する接続片が短く、また外部に露出しない分全体のサイズを小さくすることができる。
【００３９】
また接続片のサイズは、金属細線がボンデイングできるさいずであれば良いので、そのサイズも小さくできる。また連結体Ｒの幅は、ダイシングブレードのサイズおよび精度で決まるが、最近のダイシング装置はブレードも薄く、非常に高精度であるため、前記幅も狭くできる。従って半導体装置としてサイズの小さいものが簡単に実現できる。
【００４０】
またハッチングで示した溝には、接続片１３、１４の切断面が露出される。このまま実装基板に半田等のロウ材で固着した場合、この切断面がロウ材が濡れてフィレットが形成されるため、接着強度も増強する。またダイシングでは、その切断面に細かい筋が形成されるためロウ材との食いつきも向上する。
【００４１】
一方、ダイシングにより形成される溝は、別途樹脂で埋めても良い。特にダイシングにより形成された溝に於いて、半導体チップと連続している界面は、吊りリードである。そのため、耐湿性が考慮されて、ダイシング溝のコーナー部分に樹脂が塗布されても良い。また全ての溝を埋めても良い。この時もダイシングによる筋が切断面に細かく形成されるの樹脂の喰い付きが良い。
【００４２】
溝を絶縁樹脂で埋める場合には、接続片の裏面を樹脂封止体１７よりも突出させることで、接続片１３、１４と実装基板とのロウ付け強度が増強する。突出させることで露出した側面にはフィレットが形成され、ロウ材の固着性強度が増す。
【００４３】
図５、図６は、図１のフレーム１０を単位とし、この単位がマトリックス状に形成されたものを示している。
【００４４】
図５は、図３のパッケージ後を示し、マトリックス状に形成されたフレームの各アイランドには半導体チップが固着され、金属細線が接続されている。そして樹脂封止体は、マトリックス状のフレーム全域に設けられている。ここでアイランドは、チップよりも大きく形成されているが、小さくても良い。
【００４５】
そして図６の２種類の矢印で示した所で、ダイシングが施され、接続片の分離および半導体装置としてフレームからの分離が実現される。
【００４６】
図４で説明したように、フレーム全域にある連結体の部分がダイシングにより削り取られる。この場所を図６では４本の小さい矢印で示した。そしてフレームから半導体装置を分離するために、フルカットを行う。この場所は、３本の大きい矢印で示した。
【００４７】
本方法は、通常のトランスファーモールドの如く、マトリックス状にキャビティーが構成されるように金型を作っても良い。しかし本発明は、図５のように、金型は１つのキャビティーにし、端から端までのフレーム単位が全て一体で連続してモールド形成され、後にダイシングして個々に分離されている。ダイシングは、ハーフカットとフルカットの２タイプを採用し、接続片の分離と半導体装置の分離をしている。金型にマトリックス状にキャビティを形成するとなると、金型側にはキャビティとキャビティとの間にスペースが必要となる。しかしダイシングでフルカットをするならば、図６で示したフルカット領域（大きい矢印）の領域は、ブレードの間隔ですむため、その分単位フレームの実装密度を増やすことができる。
【００４８】
ここでアイランドは省略し、Ｘリードでも良い。
【００４９】
また図４の符号Ｆは、樹脂封止体の角部またはその近傍に位置し、吊りリード１２の幅よりも広く形成した固定手段である。この部分は、ダイシングにより完全に分離されるので、ここでは歪み吸収手段として活用している。
【００５０】
つまり樹脂封止体の歪みの加わる部分は、図４の４コーナーである。そのためこのＦの部分に対応する第２の固定手段を実装基板に設け、この固定手段Ｆと実装基板の第２の固定手段を、ロウ材、銀ペースト、接着剤等で固定する。その結果、半田ボールや半田バンプにクラックが発生するような大きな歪みが加わっても、まず固定手段にその応力が加わり、これ以外の接続部分に応力が加わらない構造となっている。具体的には、Ｆは、リードであり、実装基板の第２の固定手段もＣｕを主材料とするパターンが形成され、その間を半田付けされている。
【００５１】
続いて、第２の実施の形態を図９、図１０を参照しながら説明する。ここでは、半導体チップ１５をフレームに対してフェイスダウンで実装し、チップサイズと同じサイズの半導体装置を提供している。
【００５２】
半導体チップ１５は、表面に半田バンプまたは半田ボールが形成され、これが黒丸の所で示され、接続片１３、１４と接続されている。図２では、フェイスアップのため、アイランドが必要となり、また吊りリードも必要となったが、図９では、フェイスダウンで実現されるため、２点差線で示すアイランド、吊りリードを省略しても良い。また半田は、他のロウ材でよい。また銀ペースト等の導電ペーストでも良い。
【００５３】
またチップが実装された後に、半導体チップとフレームの間に樹脂が充填されても良い。
【００５４】
図１０は、前図の裏面を示したものであり、やはり点線で示す部分の連結体Ｒをダイシング等で削除し、接続片１３、１４を個々に分離している。アイランド１１や吊りリード１２は、省略も可能なので点線で示してある。
【００５５】
また本フレームは、マトリックス状に形成され、第２の接続片１４が図６と同じようにフルカットされる。フルカットは、ダイシングやＴ／Ｆ等で良い。
【００５６】
本構造は、図１１に示すようにウェハサイズのＣＳＰに応用できる。
【００５７】
つまりウェハ２０全面にマトリックス状のＩＣを形成した後、パッシベーション膜を介して半田バンプや半田ボールを形成しておく。そしてこの上に、マトリックス状に構成されたフレーム２１を配置し、接続片と接続する。
【００５８】
その後、必要によりウェハとフレームとの間に樹脂を充填し、図６のように連結体Ｒをダイシングして接続片を個々に分離し、フレーム単位間に設けられた連結体ｒをフルカットして個々に分離する。
【００５９】
ここで第１、第２の両実施例は、色々なフレームが採用できる。図１１は、図１２の如く、対向する２側辺に接続片１３が設けられ、これがマトリックス状に成ったフレームである。また図１３の如く、アイランドを囲むように、第１の接続片１３…、第２の接続片１４…、第３の接続片２２が設けられても良い。
【００６０】
一方、全実施例で用いられるフレームは、フレキシブルシートにサンドウィッチされた金属箔を用いても良い。この場合、接続ポイント（接続片、アイランド）を除いてサンドウィッチされる。
【００６１】
図１６、図１７は、第１の実施例、第２の実施例の断面図である。接続片１３、１４は、サイズも小さくダイシング時に剥がれる可能性があるため、接続片から樹脂食いつき手段Ｔが設けられている。この食いつき手段Ｔは、図４で説明すると、ダイシングラインと一致しない接続片の３側辺のどれかに設けられ、更には接続片の側面から突出して設けられ、樹脂で完全にカバーされ、アンカー効果により固定される。このアンカー効果により、連結体がダイシングで削られる時でも、接続片は樹脂から剥がれることなく固定される。
【００６２】
また図１６では、半導体チップ１５とフレームとの間には所定の間隔が設けられてあるため、接続片１３の一部は、半導体チップ１５の下に配置できる。これにより接続片の配置領域全域をシュリンクでき、全体のサイズを小さくすることができる。
【００６３】
【発明の効果】
本発明によれば、金属から成るフレームを採用し、封止された後でフレームの一構成要素である連結体を取り除くことで、接続片を個々に分離できる。また接続片のサイズは、金属細線を接続できるサイズでよく、全体としての半導体装置のサイズを小さくすることができる。
【００６４】
またフレームを樹脂に埋め込み、封止体の裏面に接続片を露出させるので、従来のようにセラミック基板採用することなく実現できる。従ってセラミック基板を採用した従来の半導体装置に比べコストを下げられる。
【００６５】
またフレームにフェイスダウンするタイプでは、チップサイズの半導体装置を実現できる。
【００６６】
またダイシングで連結体を取り除くので、この領域に露出する接続片の側面をロウ材の接続領域として活用でき、実装基板との接続強度を増強できる。
【００６７】
また連結体は、ダイシングで簡単に取り除けるので、工程も簡略化できる。
【図面の簡単な説明】
【図１】  本発明の第１の実施形態に係る半導体装置の製造方法を説明する図である。
【図２】  本発明の第１の実施形態に係る半導体装置の製造方法を説明する図である。
【図３】  本発明の第１の実施形態に係る半導体装置の製造方法を説明する図である。
【図４】  本発明の第１の実施形態に係る半導体装置の製造方法を説明する図である。
【図５】  図１の単位フレームをマトリックス状に形成したときの図である。
【図６】  図５を個々に分離するときの分離方法を説明する図である。
【図７】  従来の半導体装置の製造方法を説明する図である。
【図８】  従来の半導体装置の製造方法を説明する図である。
【図９】  第２の実施の形態に係る半導体装置の製造方法を説明する図である。
【図１０】  第２の実施の形態に係る半導体装置の製造方法を説明する図である。
【図１１】  マトリックス状のフレームの説明をする図である。
【図１２】  フレームの説明をする図である。
【図１３】  フレームの説明をする図である。
【図１４】  フレームの説明をする図である。
【図１５】  フレームの説明をする図である。
【図１６】  第１の実施の形態に於いて、接続片に食いつき手段を設けた図である。
【図１７】  第１の実施の形態に於いて、接続片に食いつき手段を設けた図である。
【図１】
0003976441.tif 000002
【図２】
0003976441.tif 000003
【図３】
0003976441.tif 000004
【図４】
0003976441.tif 000005
【図５】
0003976441.tif 000006
【図６】
0003976441.tif 000007
【図７】
0003976441.tif 000008
【図８】
0003976441.tif 000009
【図９】
0003976441.tif 000010
【図１０】
0003976441.tif 000011
【図１１】
0003976441.tif 000012
【図１２】
0003976441.tif 000013
【図１３】
0003976441.tif 000014
【図１４】
0003976441.tif 000015
【図１５】
0003976441.tif 000016
【図１６】
0003976441.tif 000017
【図１７】
0003976441.tif 000018